(57)【要約】【課題】  外部入力装置からの情報に基づいて印刷を行う際に機密の漏洩を防止することが可能な孔版印刷装置を提供する。【解決手段】  所定位置において印刷装置本体９に対し着脱可能な版胴１０を有し、外部入力装置８から送られる画像データに基づいて製版印刷動作を行う孔版印刷装置であって、前記画像データと共に外部入力装置８から送られる管理コードに対応したコードを入力することにより製版印刷動作を行うことが可能な孔版印刷装置１において、前記画像データの内容を保護する機密モードを設定する機密モード設定手段４１を有し、機密モードが設定されたときには印刷動作完了後に版胴１０を前記所定位置以外の位置に位置させる構成とした。【選択図】                        図４
2005161739.tif 000002
【特許請求の範囲】
【請求項１】
所定位置において印刷装置本体に対し着脱可能な版胴を有し、外部入力装置に接続され前記外部入力装置から送られる画像データに基づいて製版印刷動作を行う孔版印刷装置であって、前記画像データと共に前記外部入力装置から送られる管理コードに対応したコードを入力することにより製版印刷動作を行うことが可能な孔版印刷装置において、
前記画像データの内容を保護する機密モードを設定する機密モード設定手段を有し、前記機密モードが設定されたときには印刷動作完了後に前記版胴を前記所定位置以外の位置に位置させることを特徴とする孔版印刷装置。
【請求項２】
装置本体に対し着脱可能であって外周面上にマスタを巻装する版胴とマスタに製版を行う製版部と前記版胴の外周面上からマスタを除去する排版部とを有し、外部入力装置に接続され前記外部入力装置から送られる画像データに基づいて製版印刷動作を行う孔版印刷装置であって、前記画像データと共に前記外部入力装置から送られる管理コードに対応したコードを入力することにより製版印刷動作を行うことが可能な孔版印刷装置において、
前記画像データの内容を保護する機密モードを設定する機密モード設定手段を有し、前記機密モードが設定されたときには印刷動作完了後に前記排版部を作動させて前記版胴の外周面上より印刷に使用したマスタを除去した後、前記製版部を作動させて前記版胴の外周面上に未製版のマスタを巻装させることを特徴とする孔版印刷装置。
【請求項３】
請求項１または請求項２記載の孔版印刷装置において、
表示手段を有し、印刷動作完了後に前記機密モードへ移行するか否かが前記表示手段に表示された後、前記機密モードへ移行する場合は前記機密モード設定手段により設定が行われることを特徴とする孔版印刷装置。
【請求項４】
所定位置において印刷装置本体に対し着脱可能であって外周面上にマスタを巻装する版胴とマスタに製版を行う製版部と前記版胴の外周面上からマスタを除去する排版部とを有し、外部入力装置に接続され前記外部入力装置から送られる画像データに基づいて製版印刷動作を行う孔版印刷装置であって、前記画像データと共に前記外部入力装置から送られる管理コードに対応したコードを入力することにより製版印刷動作を行うことが可能な孔版印刷装置において、
前記画像データの内容を保護する第１機密モードまたは第２機密モードの何れかを設定する機密モード設定手段を有し、第１機密モードが設定されたときには印刷動作完了後に前記版胴を前記所定位置以外の位置に位置させ、第２機密モードが設定されたときには印刷動作完了後に前記排版部を作動させて前記版胴の外周面上より印刷に使用したマスタを除去した後に前記製版部を作動させて前記版胴の外周面上に未製版のマスタを巻装させることを特徴とする孔版印刷装置。
【請求項５】
請求項４記載の孔版印刷装置において、
表示手段を有し、印刷動作完了後に前記何れかの機密モードへ移行するか否かが前記表示手段に表示された後、前記何れかの機密モードへ移行する場合は前記機密モード設定手段により設定が行われることを特徴とする孔版印刷装置。
【請求項６】
所定位置において印刷装置本体に対し着脱可能な版胴を有する孔版印刷装置と、前記孔版印刷装置に接続され印刷される画像データ及び特定の管理コードを前記孔版印刷装置に向けて出力する外部入力装置とを有する孔版印刷システムであって、前記管理コードに対応したコードを前記孔版印刷装置側で入力することにより製版印刷動作を行うことが可能な孔版印刷システムにおいて、
前記外部入力装置は前記孔版印刷装置に前記画像データの内容を保護させる機密モード情報を出力可能であり、前記機密モード情報が出力されたときには印刷動作完了後に前記版胴を前記所定位置以外の位置に位置させることを特徴とする孔版印刷システム。
【請求項７】
装置本体に対し着脱可能であって外周面上にマスタを巻装する版胴とマスタに製版を行う製版部と前記版胴の外周面上からマスタを除去する排版部とを有する孔版印刷装置と、前記孔版印刷装置に接続され印刷される画像データ及び特定の管理コードを前記孔版印刷装置に向けて出力する外部入力装置とを有する孔版印刷システムであって、前記管理コードに対応したコードを前記孔版印刷装置側で入力することにより製版印刷動作を行うことが可能な孔版印刷システムにおいて、
前記外部入力装置は前記孔版印刷装置に前記画像データの内容を保護させる機密モード情報を出力可能であり、前記機密モード情報が出力されたときには印刷動作完了後に前記排版部を作動させて前記版胴の外周面上より印刷に使用したマスタを除去した後、前記製版部を作動させて前記版胴の外周面上に未製版のマスタを巻装させることを特徴とする孔版印刷システム。
【請求項８】
所定位置において印刷装置本体に対し着脱可能であって外周面上にマスタを巻装する版胴とマスタに製版を行う製版部と前記版胴の外周面上からマスタを除去する排版部とを有する孔版印刷装置と、前記孔版印刷装置に接続され印刷される画像データ及び特定の管理コードを前記孔版印刷装置に向けて出力する外部入力装置とを有する孔版印刷システムであって、前記管理コードに対応したコードを前記孔版印刷装置側で入力することにより製版印刷動作を行うことが可能な孔版印刷システムにおいて、
前記外部入力装置は前記孔版印刷装置に前記画像データの内容を保護させる第１機密モード情報または第２機密モード情報の何れかを出力可能であり、第１機密モード情報が出力されたときには印刷動作完了後に前記版胴を前記所定位置以外の位置に位置させ、第２機密モード情報が出力されたときには印刷動作完了後に前記排版部を作動させて前記版胴の外周面上より印刷に使用したマスタを除去した後に前記製版部を作動させて前記版胴の外周面上に未製版のマスタを巻装させることを特徴とする孔版印刷システム。
【発明の詳細な説明】
【技術分野】
【０００１】
本発明は、外部入力装置に接続された孔版印刷装置における機密漏洩防止の技術に関する。
【背景技術】
【０００２】
従来、簡便な印刷方法としてデジタル式感熱孔版印刷が知られている。このデジタル式感熱孔版印刷を行う孔版印刷装置では、印刷が終了して原稿を変更した後に次の印刷を行う際に、製版スタートキーの押下により排版手段が作動して版胴からの使用済みマスタの剥離が行われた後、続いて製版手段が作動して新たに製版されたマスタが版胴に巻装されるように構成されている。これは、印刷終了直後に版胴から使用済みのマスタを剥離すると、次の印刷に先立って新しい製版済みマスタが巻装されるまで版胴表面が大気に晒された状態で放置されることとなり、この放置状態が長時間に及ぶと版胴表面や開口部に残留したインキが変成して次版の印刷に際して良好な印刷が行われないことがあるため、使用済みのマスタを版胴外周面上に巻装させておき版胴表面が大気に晒されることを防止しているのである。
【０００３】
また、最近では通信ネットワークを利用した画像形成データの送受信が行われるようになってきており、この場合には画像形成データを送る送信側（外部入力装置）と画像形成データを受けて画像形成を行う受信側（画像形成装置）とが離れた位置に配置されている。このように外部入力装置から情報を受信して画像形成を行うと、利便性は向上するが送信側と受信側とが離れた位置にあるために画像形成データの機密性が低下してしまうという問題点がある。そこで、送信側から画像形成データを送信する際に画像形成データと共にセキュリティ情報を送信し、受信側で出力を行う際に送信されたセキュリティ情報に対応した情報を入力し、各情報が一致した場合にのみ画像形成データを出力する技術が、例えば「特許文献１」に開示されている。
【０００４】
【特許文献１】特開２００３−１１５９５７号公報
【発明の開示】
【発明が解決しようとする課題】
【０００５】
外部入力装置からの情報に基づいて印刷を行う場合、「特許文献１」に開示された技術を適用することにより印刷時における機密性は保たれる。しかし、上述したように孔版印刷装置では前版のマスタを版胴上に巻装させたままの状態であるため、第三者が版胴を孔版印刷装置から取り外して前版のマスタの内容を容易に確認することができ、機密が漏洩してしまうという問題点がある。
【０００６】
また版胴上に残された前版のマスタでは、その画像部（穿孔部）に残存しているインキが空気と接触することにより油分と水分とに分離されて薄くなり、このマスタを排版して新たなマスタを版胴に巻装して印刷を行う際に、例えば新たなマスタとして全面がハーフトーンのものを用いて印刷を行うと、前版の画像が残存画像（ゴースト）として出力されてしまい、機密が漏洩してしまうという問題点がある。
【０００７】
本発明は上述の問題点を解決し、外部入力装置からの情報に基づいて印刷を行う際に機密の漏洩を防止することが可能な孔版印刷装置の提供を目的とする。
【課題を解決するための手段】
【０００８】
請求項１記載の発明は、所定位置において印刷装置本体に対し着脱可能な版胴を有し、外部入力装置に接続され前記外部入力装置から送られる画像データに基づいて製版印刷動作を行う孔版印刷装置であって、前記画像データと共に前記外部入力装置から送られる管理コードに対応したコードを入力することにより製版印刷動作を行うことが可能な孔版印刷装置において、前記画像データの内容を保護する機密モードを設定する機密モード設定手段を有し、前記機密モードが設定されたときには印刷動作完了後に前記版胴を前記所定位置以外の位置に位置させることを特徴とする。
【０００９】
請求項２記載の発明は、装置本体に対し着脱可能であって外周面上にマスタを巻装する版胴とマスタに製版を行う製版部と前記版胴の外周面上からマスタを除去する排版部とを有し、外部入力装置に接続され前記外部入力装置から送られる画像データに基づいて製版印刷動作を行う孔版印刷装置であって、前記画像データと共に前記外部入力装置から送られる管理コードに対応したコードを入力することにより製版印刷動作を行うことが可能な孔版印刷装置において、前記画像データの内容を保護する機密モードを設定する機密モード設定手段を有し、前記機密モードが設定されたときには印刷動作完了後に前記排版部を作動させて前記版胴の外周面上より印刷に使用したマスタを除去した後、前記製版部を作動させて前記版胴の外周面上に未製版のマスタを巻装させることを特徴とする。
【００１０】
請求項３記載の発明は、請求項１または請求項２記載の孔版印刷装置において、さらに表示手段を有し、印刷動作完了後に前記機密モードへ移行するか否かが前記表示手段に表示された後、前記機密モードへ移行する場合は前記機密モード設定手段により設定が行われることを特徴とする。
【００１１】
請求項４記載の発明は、所定位置において印刷装置本体に対し着脱可能であって外周面上にマスタを巻装する版胴とマスタに製版を行う製版部と前記版胴の外周面上からマスタを除去する排版部とを有し、外部入力装置に接続され前記外部入力装置から送られる画像データに基づいて製版印刷動作を行う孔版印刷装置であって、前記画像データと共に前記外部入力装置から送られる管理コードに対応したコードを入力することにより製版印刷動作を行うことが可能な孔版印刷装置において、前記画像データの内容を保護する第１機密モードまたは第２機密モードの何れかを設定する機密モード設定手段を有し、第１機密モードが設定されたときには印刷動作完了後に前記版胴を前記所定位置以外の位置に位置させ、第２機密モードが設定されたときには印刷動作完了後に前記排版部を作動させて前記版胴の外周面上より印刷に使用したマスタを除去した後に前記製版部を作動させて前記版胴の外周面上に未製版のマスタを巻装させることを特徴とする。
【００１２】
請求項５記載の発明は、請求項４記載の孔版印刷装置において、さらに表示手段を有し、印刷動作完了後に前記何れかの機密モードへ移行するか否かが前記表示手段に表示された後、前記何れかの機密モードへ移行する場合は前記機密モード設定手段により設定が行われることを特徴とする。
【００１３】
請求項６記載の発明は、所定位置において印刷装置本体に対し着脱可能な版胴を有する孔版印刷装置と、前記孔版印刷装置に接続され印刷される画像データ及び特定の管理コードを前記孔版印刷装置に向けて出力する外部入力装置とを有する孔版印刷システムであって、前記管理コードに対応したコードを前記孔版印刷装置側で入力することにより製版印刷動作を行うことが可能な孔版印刷システムにおいて、前記外部入力装置は前記孔版印刷装置に前記画像データの内容を保護させる機密モード情報を出力可能であり、前記機密モード情報が出力されたときには印刷動作完了後に前記版胴を前記所定位置以外の位置に位置させることを特徴とする。
【００１４】
請求項７記載の発明は、装置本体に対し着脱可能であって外周面上にマスタを巻装する版胴とマスタに製版を行う製版部と前記版胴の外周面上からマスタを除去する排版部とを有する孔版印刷装置と、前記孔版印刷装置に接続され印刷される画像データ及び特定の管理コードを前記孔版印刷装置に向けて出力する外部入力装置とを有する孔版印刷システムであって、前記管理コードに対応したコードを前記孔版印刷装置側で入力することにより製版印刷動作を行うことが可能な孔版印刷システムにおいて、前記外部入力装置は前記孔版印刷装置に前記画像データの内容を保護させる機密モード情報を出力可能であり、前記機密モード情報が出力されたときには印刷動作完了後に前記排版部を作動させて前記版胴の外周面上より印刷に使用したマスタを除去した後、前記製版部を作動させて前記版胴の外周面上に未製版のマスタを巻装させることを特徴とする。
【００１５】
請求項８記載の発明は、所定位置において印刷装置本体に対し着脱可能であって外周面上にマスタを巻装する版胴とマスタに製版を行う製版部と前記版胴の外周面上からマスタを除去する排版部とを有する孔版印刷装置と、前記孔版印刷装置に接続され印刷される画像データ及び特定の管理コードを前記孔版印刷装置に向けて出力する外部入力装置とを有する孔版印刷システムであって、前記管理コードに対応したコードを前記孔版印刷装置側で入力することにより製版印刷動作を行うことが可能な孔版印刷システムにおいて、前記外部入力装置は前記孔版印刷装置に前記画像データの内容を保護させる第１機密モード情報または第２機密モード情報の何れかを出力可能であり、第１機密モード情報が出力されたときには印刷動作完了後に前記版胴を前記所定位置以外の位置に位置させ、第２機密モード情報が出力されたときには印刷動作完了後に前記排版部を作動させて前記版胴の外周面上より印刷に使用したマスタを除去した後に前記製版部を作動させて前記版胴の外周面上に未製版のマスタを巻装させることを特徴とする。
【発明の効果】
【００１６】
本発明によれば、装置本体から版胴を抜き出すことができなくなることにより、版胴を抜き出して版胴上のマスタの内容を確認することが不可能となり、機密を保持することができる。また、機密を要するマスタが剥離されて新たな未製版のマスタが巻装されることにより、機密を要するマスタの穿孔部に残存したインキの分離が抑えられ、ゴースト出力による機密漏洩を防止することができる。
【発明を実施するための最良の形態】
【００１７】
図１は、本発明の第１の実施形態を採用した孔版印刷装置を示している。同図において孔版印刷装置１は、印刷部２、製版部３、給紙部４、排版部５、排紙部６、画像読取部７を有しており、孔版印刷装置１には外部入力装置８が接続されている。
【００１８】
装置本体９のほぼ中央に配設された印刷部２は、版胴１０とプレスローラ１１とを有している。多数の開孔が形成された開孔部及び非開孔部を有する多孔性支持板を外周面に有する版胴１０は、後述する版胴駆動モータ１２によって回転駆動される。多孔性支持板の開孔部上には樹脂あるいは金属の網体からなるメッシュスクリーンが複数層巻装されており、多孔性支持板の非開孔部上にはマスタの先端を挟持する開閉自在なクランパが配設されている。版胴１０の内部には、インキローラ及びドクターローラ等を有する周知のインキ供給手段が配設されている。
【００１９】
図２に示すように、版胴１０を構成する一方の端板１０ａの外方には、インキ供給パイプを兼ねた版胴１０の支軸１３を中心としたギヤ１７が、端板１０ａと僅かに隙間をもって支軸１３の図示しない段部に固着されている。支軸１３の図示しない先端部は、ギヤ１７を貫通して装置本体９の図示しない側板に支持されている。端板１０ａには、版胴１０の外周縁寄りに配置されたドグ２５が取り付けられている。一方の端板１０ａと他方の端板１０ｂとの外方には、版胴１０を持ち運ぶためのほぼコ字形状を呈した図示しない取っ手が版胴１０を軸方向に跨ぐように支軸１３に取り付けられている。他方の端板１０ｂ側の図示しない取っ手の側板には、支軸１３へ供給するインキを補充するための図示しないインキパックが取り付けられている。
【００２０】
ギヤ１７の近傍には、ギヤ１７と噛合するギヤ部１８ａとフランジ部１８ｂとを有し、装置本体９に回転自在に支持された支軸１８ｃに固着されたギヤ１８が配設されている。ギヤ１８は、フランジ部１８ｂが端板１０ａ側に位置するように配設され、フランジ部１８ｂの一部が切り欠かれている。各ギヤ１７，１８は互いの噛合部とフランジ部１８ｂの切欠部とが一致した状態においてのみ係脱自在に構成されており、他の状態ではギヤ１７がフランジ部１８ｂに阻まれて係合状態を解除できないように構成されている。版胴１０は装置本体９の図示しないレール部材に上述した図示しない取っ手を係合可能に構成されており、各ギヤ１７，１８の噛合部とフランジ部１８ｂの切欠部とが一致する図２に示す状態において図２の白抜き矢印で示す方向に版胴１０を抜き出すことにより、版胴１０の装置本体９からの取り外しが可能に構成されている。
【００２１】
版胴１０の回転に伴って移動するドグ２５の円軌道上には、ホームポジションセンサ２６と機密モード位置センサ２７とが配設されている。各センサ２６，２７は装置本体９に取り付けられており、ドグ２５がその検知部を通過する際に後述する制御手段２４へ向けて信号を出力する。ホームポジションセンサ２６は、各ギヤ１７，１８の噛合部とフランジ部１８ｂの切欠部とが一致する位置においてドグ２５を検知する位置に配設されている。
【００２２】
支軸１８ｃの、装置本体９に回転自在に支持された位置とギヤ１８が固着された位置との間の位置にはタイミングプーリ１９が固着されており、このタイミングプーリ１９は装置本体９に取り付けられた版胴駆動モータ１２の出力軸に取り付けられたピニオン２０とタイミングベルト２１によって駆動連結されている。版胴駆動モータ１２の出力軸にはエンコーダ２２が取り付けられており、版胴駆動モータ１２は装置本体９に取り付けられたパルス検出センサ２３によってその回転角度を検出され、検出された角度信号は図示しないパルスカウンタ及び比較器を介して後述する制御手段２４に入力される。
【００２３】
版胴１０の下方には、図示しない揺動手段に揺動自在に支持された一対のアーム部材１１ａにその支軸両端を回転自在に支持されたプレスローラ１１が配設されている。プレスローラ１１は、各アーム部材１１ａが揺動されることによりその周面を版胴１０の外周面に対して接離自在に構成されている。
【００２４】
印刷部２の右上方には製版部３が配設されている。製版部３は、マスタ１４に穿孔製版を行うサーマルヘッド１５及びプラテンローラ１６、マスタ切断手段、マスタ搬送ローラ対等を有する周知の構成であり、製版部３で製版されたマスタ１４は版胴１０に向けて送られた後に版胴１０の外周面上に巻装される。
【００２５】
印刷部２の右下方には給紙部４が配設されている。給紙部４は、用紙Ｐを積載する給紙トレイ、給紙ローラ、分離ローラ対、レジストローラ対等を有する周知の構成であり、給紙部４から分離給送された用紙Ｐは版胴１０とプレスローラ１１との接触部に向けて送られる。
【００２６】
印刷部２の左上方には排版部５が配設されている。排版部５は、上排版部材、下排版部材、排版ボックス、圧縮板等を有する周知の構成であり、版胴１０の外周面上から使用済みのマスタ１４を剥離して排版ボックスの内部に収納する。
【００２７】
印刷部２の左下方には排紙部６が配設されている。排紙部６は、剥離爪、排紙搬送部材、排紙トレイ等を有する周知の構成であり、印刷部２において画像を転写された用紙Ｐは剥離爪によって版胴１０の外周面より剥離された後、排紙搬送部材に搬送されて排紙トレイ上に排出される。
【００２８】
装置本体９の上部には画像読取部７が配設されている。画像読取部７は、コンタクトガラス、走査ユニット、結像レンズ、画像センサ、ＡＤＦユニット等を有する周知の構成である。なお、本実施形態では外部入力装置８が接続されており、孔版印刷装置１は外部入力装置８からの情報に基づいて製版印刷動作を行うので、画像読取部７は実質的に使用されない。
【００２９】
図３は、孔版印刷装置１の操作パネルを示している。同図において、装置本体９の上部前面に設けられた操作パネル２８は、その上面に製版スタートキー２９、印刷スタートキー３０、試し刷りキー３１、連続キー３２、クリア／ストップキー３３、テンキー３４、エンターキー３５、プログラムキー３６、モードクリアキー３７、印刷速度設定キー３８、７セグメントＬＥＤからなる表示装置３９、ＬＣＤからなる表示装置４０等の周知の構成の他、機密モードを設定する機密モード設定手段としての機密モードキー４１を有している。
【００３０】
図４は、孔版印刷装置１の動作を制御する制御手段２４のブロック図である。装置本体９の内部に配設された制御手段２４は、内部にＣＰＵ、ＲＯＭ、ＲＡＭ等を有する周知のマイクロコンピュータによって構成されている。制御手段２４にはパルス検出センサ２３で検出され図示しないパルスカウンタ及び比較器を介して送られる版胴駆動モータ１２の角度信号、ホームポジションセンサ２６及び機密モード位置センサ２７からの各出力信号、操作パネル２８からの動作信号、外部入力装置８からの各種情報信号が入力され、制御手段２４は各信号に基づいて印刷部２、製版部３、給紙部４、排版部５、排紙部６の動作をそれぞれ制御する。
【００３１】
外部入力装置８は、孔版印刷装置１に対して印刷を行わせることが可能なソフト及びドライバ等を有するパーソナルコンピュータであり、孔版印刷装置１に対して印刷すべき画像データ、各種製版条件及び印刷条件等を入力することが可能に構成されている。また印刷時における機密性を保持するため、上述の各データと共に孔版印刷装置１に向けて管理コードを出力する。管理コードを受け取った孔版印刷装置１は、この管理コードに対応したコードを入力した後でないと製版印刷動作を行うことができないように構成されている。
【００３２】
上述の構成に基づき、以下に孔版印刷装置１の動作を説明する。  
オペレータは、外部入力装置８から印刷すべき画像データ、各種製版条件及び印刷条件と共に特定の管理コードを孔版印刷装置１に向けて出力する。出力完了後、孔版印刷装置１の操作パネル２８を操作し、外部入力装置８から送られた管理コードに対応したコードをテンキー３４等を用いて入力する。ここで、外部入力装置８から送られた管理コードと操作パネル２８において入力されたコードとが適合すると、その旨が表示装置４０に表示されて孔版印刷装置１は製版待機状態となる。
【００３３】
孔版印刷装置１が製版待機状態となった後、製版スタートキー２９が押下されると、版胴駆動モータ１２が作動して版胴１０が低速で回転駆動されると共に排版部５が作動し、版胴１０の外周面上より使用済みのマスタ１４が剥離される。その後、版胴１０が回転してホームポジションセンサ２６がドグ２５を検知すると版胴駆動モータ１２の作動が停止し、版胴１０がホームポジションに位置決めされて排版動作が完了する。
【００３４】
排版動作完了後、製版部３のサーマルヘッド１５及びプラテンローラ１６が作動し、マスタ１４に対して外部入力装置８から送られた画像データに基づいた製版動作が行われる。このとき版胴１０は図１に示す給版位置を占めており、その外周面上のクランパが開放される。製版されたマスタ１４の先端がクランパまで達するとクランパが閉じられ、製版されたマスタ１４が版胴１０に保持される。その後、版胴駆動モータ１２が作動して版胴１０が製版速度とほぼ同じ周速度で回転駆動され、製版されたマスタ１４が版胴１０に巻装される。そして、マスタ１４が所定長さ製版搬送されると、マスタ切断手段が作動してマスタ１４が切断される。切断されたマスタ１４は版胴１０によって巻き取られ、巻装動作が完了する。
【００３５】
巻装動作完了後、給紙部４が作動すると共に版胴駆動モータ１２が作動し、給紙部４から１枚の用紙Ｐが給送されると共に版胴１０が低速で回転駆動される。給送された用紙Ｐはレジストローラ対で一時停止された後、版胴１０に巻装されたマスタ１４の製版画像と対応するタイミングで版胴１０とプレスローラ１１との接触位置に向けて送られる。そして、プレスローラ１１が揺動することにより用紙Ｐは版胴１０上のマスタ１４に押圧され、その表面に画像を転写される。この押圧により版胴１０の内部から供給されたインキが多孔性支持板及びマスタ１４に行き渡り、いわゆる版付けが行われる。版付けされた用紙Ｐは剥離爪によって版胴１０上から剥離された後、排紙搬送部材によって搬送されて排紙トレイ上に排出され、版付け動作が完了して孔版印刷装置１は印刷待機状態となる。
【００３６】
孔版印刷装置１が印刷待機状態となると、続けて印刷動作が行われる。版付け動作完了後、版胴１０が版付け時よりも高速である設定された周速度で回転駆動されると共に給紙部４より用紙Ｐが連続的に給送される。給送された用紙Ｐは印刷部２において連続的に印刷された後、排紙部６へと送られて排紙トレイ上に排出される。そして予め設定された印刷枚数の印刷が終了すると、版胴１０がホームポジションに位置決めされた後に孔版印刷装置１の作動が停止される。
【００３７】
上述の構成において、一度製版スタートキー２９が押下されて製版動作が行われると、製版されたマスタ１４は次の製版動作が行われるまでは版胴１０に巻装されたままの状態となる。このため、製版された画像が機密を要する画像である場合は、画像の内容を容易に知られることがないようにする必要がある。このような場合に機密モードキー４１が押下される。
【００３８】
オペレータは、製版された内容が機密を要する場合には、印刷動作完了後において機密モードキー４１を押下する。機密モードキー４１が押下されるとこの信号が制御手段２４に入力され、信号を受けた制御手段２４は版胴駆動モータ１２を作動させる。版胴駆動モータ１２の作動により版胴１０が回転駆動され、ドグ２５が機密モード位置センサ２７によって検知されるとこの検知信号が制御手段２４に送られ、信号を受けた制御手段２４は版胴駆動モータ１２の作動を停止させる。
【００３９】
この一連の動作により版胴１０がホームポジションより図２において距離Ｌだけずれた位置に位置決めされ、各ギヤ１７，１８との噛合部とフランジ部１８ｂの切欠部とがずれることにより、装置本体９から版胴１０を抜き出すことができなくなる。これにより、版胴１０を抜き出して版胴１０上のマスタ１４の内容を確認することが不可能となり、機密を保持することができる。なお、機密保持キー４１が押下されると、操作パネル２８からの入力は製版スタートキー２９の入力のみが有効とされ、他のキーからの入力は無視される。これにより、印刷あるいは試し刷りによってマスタ１４の内容を確認することも不可能となる。
【００４０】
次に、第２の実施形態を説明する。この第２の実施形態は、上述した第１の実施形態と比較すると、孔版印刷装置１としてフランジ部１８ｂを有していないギヤ１８を用いる点においてのみ相違しており、他の構成は同一である。
【００４１】
この第２の実施形態では、ギヤ１８がフランジ部１８ｂを有していないため、版胴１０がホームポジション以外の位置に停止していても装置本体９から版胴１０を抜き出すことができる。従って、装置本体９から版胴１０が抜き出されてもマスタ１４の機密を保持することが必要となる。以下にその形態を説明する。
【００４２】
第１の実施形態と同様にオペレータにより機密モードキー４１が押下されると、この信号が制御手段２４に入力される。信号を受けた制御手段２４は、排版動作時と同様に版胴駆動モータ１２及び排版部５を作動させ、版胴１０の外周面から機密を要するマスタ１４を剥離する。剥離されたマスタ１４は、排版部５の排版ボックス内に収容される。
【００４３】
排版動作後、制御手段２４は製版動作時と同様に版胴駆動モータ１２及び製版部３を作動させ、版胴１０の外周面に新たなマスタ１４を巻装させる。しかし、このときにはサーマルヘッド１５の作動を停止させ、版胴１０の外周面に未製版のマスタ１４を巻装させる。そして、巻装動作が完了すると、版胴１０をホームポジションに位置決めして孔版印刷装置１の作動を停止させる。
【００４４】
この一連の動作により版胴１０の外周面には機密を要するマスタ１４の代わりに未製版のマスタ１４が巻装されることとなり、版胴１０を抜き出しても版胴１０上のマスタ１４の内容を確認することが不可能となって機密を保持することができる。また、機密を要するマスタ１４が剥離されて新たな未製版のマスタ１４が巻装されることにより、機密を要するマスタ１４の穿孔部に残存したインキの分離が抑えられ、ゴースト出力による機密漏洩を防止することができる。なお、この実施形態においても機密保持キー４１押下時においては製版スタートキー２９の入力のみが有効とされ、他のキーからの入力は無視される。
【００４５】
上記各実施形態では、印刷動作完了後にオペレータの意志によって機密モードキー４１を押下して機密モードを設定する構成である。しかしこの場合では、機密モードを設定したはずが実は設定されておらずに機密が漏洩してしまう虞がある。そこで印刷動作完了後、表示手段として機能する表示装置４０に「機密保持を行いますか？行う場合は機密モードキーを押下してください。」というような表示を行い、機密保持を行う場合は機密モードキー４１を、行わない場合はクリア／ストップキー３３を押下する構成とすることにより確実に機密モードの設定を行うことができる。
【００４６】
さらに第３の実施形態として、孔版印刷装置１として第１の実施形態と第２の実施形態との両方の構成を兼ね備えたものを用い、何れか一方の機密保持動作（版胴１０の位置をずらすか版胴１０上のマスタ１４を廃棄した後に未製版のマスタ１４を巻装する）を選択して行う構成としてもよい。この場合の機密モード設定手段としては、機密モードキー４１を押下する毎に何れかの機密保持動作が選択できる構成、あるいは機密モードキー４１に代えて何れかの機密保持動作を選択するセレクトキーを用いる構成とすることもできる。この実施形態においても上述と同様に、印刷動作完了後に表示装置４０に機密保持動作を行うか否かを選択する表示を行うことにより、確実に機密モードの設定を行うことができる。
【００４７】
上述した各実施形態では、機密モードの設定を印刷完了後における孔版印刷装置１側で行う構成としたが、外部出力装置８側で機密モードの設定を行う孔版印刷システムとしての構成を採用してもよい。この場合、機密モードの設定情報は印刷すべき画像データ、各種製版条件及び印刷条件、特定の管理コードと共に出力され、制御手段２４に入力される。機密モードの設定情報が入力されると、制御手段２４は孔版印刷装置１の印刷動作完了後、上述した各実施形態と同様の機密保持動作を行わせる。なお、機密モードの設定情報において、第３の実施形態と同様に何れかの機密保持動作を選択する構成とすることももちろん可能である。
【図面の簡単な説明】
【００４８】
【図１】本発明の第１の実施形態を採用した孔版印刷装置の概略正面図である。
【図２】本発明の第１の実施形態に用いられる版胴駆動機構要部の概略図である。
【図３】本発明の第１の実施形態に用いられる操作パネルを説明する図である。
【図４】本発明の第１の実施形態に用いられる制御手段のブロック図である。
【符号の説明】
【００４９】
１  孔版印刷装置
３  製版部
５  排版部
８  外部入力装置
９  装置本体
１０  版胴
１４  マスタ
４０  表示手段（ＬＣＤからなる表示装置）
４１  機密モード設定手段（機密モードキー）
【図１】
2005161739.tif 000003
【図２】
2005161739.tif 000004
【図３】
2005161739.tif 000005
【図４】
2005161739.tif 000006